(57)【要約】【課題】環境センサを備えた携帯電話機により環境データを測定し、この測定データを環境情報監視センタにおいて集計・編集・解析・蓄積・表示する機能を有する環境情報監視システムを提供すること。【解決手段】通信回線４を経由して情報を授受する環境センサ付き携帯電話機１と環境情報監視センタ５とから成る環境情報監視システムであって、携帯電話機１は環境データ測定部１７を備え、所望の場所の環境データを測定して環境情報監視センタ５へ送信し、環境情報監視センタ５は、管理サーバ７、データベース８、パソコン９を備え、受信した測定データを集計し、編集し、解析し、蓄積し、表示し、解析結果情報を携帯電話機に送信し、携帯電話機１は解析結果情報を受信し、表示する機能を有する。【選択図】　　　　図１
2004032580.tif 000002
【特許請求の範囲】
【請求項１】
基地局を含む通信回線を経由して情報を授受する環境センサ付き携帯電話機と環境情報監視センタとから成る環境情報監視システムであって、
環境センサ付き携帯電話機は、少なくとも全体制御部、入力部、出力部、記憶部、通信制御部、電源部、並びに環境データ測定部、環境データ・解析結果情報送受信制御部、環境データ集計・編集・解析・蓄積部を備え、環境データを測定して、この測定データを環境情報監視センタへ送信し、環境情報監視センタからの情報を受信し、この情報を蓄積する機能を有し、
環境情報監視センタは、少なくとも管理サーバ、データベース、パソコンを備え、環境センサ付き携帯電話機から測定した環境データを受信して、この測定データを集計し、編集し、解析し、蓄積し、並びに解析した結果情報（解析結果情報）を環境センサ付き携帯電話機に送信する機能を有することを特徴とする環境情報監視システム。
【請求項２】
請求項１に記載の環境情報監視システムにおいて、
環境センサ付き携帯電話機は、入力部に環境データ測定時期及び／又は測定データ送信先及び／又は異常値及び／又は環境情報監視センタへの測定データの送信時期及び／又は環境情報監視センタからの解析結果情報を受信する時期、の各設定部を備えることを特徴とする環境情報監視システム。
【請求項３】
請求項２に記載の環境情報監視システムにおいて、
環境データの測定契機（時期）を、携帯電話機の使用時（通話時）及び／又は所定の時刻及び／又は所定の時間間隔に設定する機能を有することを特徴とする環境情報監視システム。
【請求項４】
請求項２に記載の環境情報監視システムにおいて、
環境データの測定時点又は任意の時点に、環境センサ付き携帯電話機から測定データを環境情報監視センタへ送信する機能を有することを特徴とする環境情報監視システム。
【請求項５】
請求項２に記載の環境情報監視システムにおいて、
予め設定した時刻又は予め設定した時間間隔又は環境センサ付き携帯電話機から要求があった場合に、解析結果情報を、環境情報監視センタから環境センサ付き携帯電話機へ送信する機能を有することを特徴とする環境情報監視システム。
【請求項６】
請求項２に記載の環境情報監視システムにおいて、
環境センサ付き携帯電話機は、出力部に表示部と警告・警報部とを備えることを特徴とする環境情報監視システム。
【請求項７】
請求項６に記載の環境情報監視システムにおいて、
測定した環境データ及び／又は環境情報監視センタから受信した解析結果情報に、予め設定した異常値以上の値を含む場合に、環境センサ付き携帯電話機が、異常の警報及び／又は警告を発する機能及び／又は表示する機能を有することを特徴とする環境情報監視システム。
【請求項８】
請求項６に記載の環境情報監視システムにおいて、
環境センサ付き携帯電話機は、環境情監視センタから解析結果情報を受信し、表示及び／又は蓄積する機能を有することを特徴とする環境情報監視システム。
【請求項９】
請求項１に記載の環境情報監視システムにおいて、
環境センサ付き携帯電話機から環境情報監視センタに対して解析結果情報を要求する場合に、環境データの測定場所を指定する機能及び該要求に応じて環境情報監視センタから受信した解析結情報にその場所を表示する機能を有することを特徴とする環境情報監視システム。
【請求項１０】
請求項１に記載の環境情報監視システムにおいて、
環境情報監視センタから、環境センサ付き携帯電話機が通信を行っている基地局周辺の解析結果情報を送信する機能を有することを特徴とする環境情報監視システム。
【請求項１１】
請求項１に記載の環境情報監視システムにおいて、
環境情報監視センタは、環境センサ付き携帯電話機から受信した測定データ及び／又は受信した測定データを集計し、編集し、解析した結果情報（解析結果情報）を表示し、測定データ及び／又は解析結果情報に異常があれば表示及び／又は警報及び／又は警告する機能を有することを特徴とする環境情報監視システム。
【請求項１２】
請求項１に記載の環境情報監視システムにおいて、
環境情報監視センタは、解析結果情報として、必要な情報又は異常値の情報の全部又は一部を選択して、環境センサ付き携帯電話機へ送信する機能を有することを特徴とする環境情報監視システム。
【請求項１３】
請求項１に記載の環境情報監視システムにおいて、
環境センサ付き携帯電話機は、測定した環境データを、該携帯電話機の送受信時に自動的に基地局へ送信する機能を有することを特徴とする環境情報監視システム。
【請求項１４】
基地局を含む通信回線を経由して情報を授受する携帯電話機と環境情報監視センタとから成る環境情報監視システムであって、
携帯電話機に環境データ測定機能を具備し、該携帯電話機を指定した場所に設置し、予め時刻を指定して環境データを測定し、測定した環境データを、予め指定した環境情報監視センタに送信し、環境情報監視センタは測定データを受信して、これを集計し、編集し、解析し、蓄積する機能を有することを特徴とする環境情報監視システム。
【請求項１５】
請求項１４に記載の環境情報監視システムにおいて、
環境情報監視センタは解析結果情報を携帯電話機に送信し、携帯電話機は解析結果情報を受信して表示及び／又は蓄積する機能を有することを特徴とする環境情報監視システム。
【請求項１６】
請求項１４に記載の環境情報監視システムにおいて、
携帯電話機は受信した解析結果情報に設定した異常値以上の値を含む場合には、異常を表示及び／又は警告・警報する機能を有することを特徴とする環境情報監視システム。
【発明の詳細な説明】
【０００１】
【発明の属する技術分野】
本発明は、環境センサ付き携帯電話機を用いた環境情報監視システムに関する。
【０００２】
【従来の技術】
最近の携帯電話機には、本来の通話機能の他に各種の機能を有するものが提供されている。また最近は各種の環境問題が発生して、その対策が望まれており、そのために各種の環境データを測定し、監視する必要性が生じている。
【０００３】
【発明が解決しようとする課題】
本発明は、上記携帯電話機に各種の環境データを測定（検出）できる環境センサを備え、所望の場所で必要な環境データを測定し、この測定データを環境情報監視センタにおいて集計し、編集し、解析し、蓄積する機能を有する環境センサ付き携帯電話機を用いた環境情報監視システムを提供することを目的とする。
【０００４】
【課題を解決するための手段】
上記目的を達成するために、本発明の環境情報監視システムは、基地局を含む通信回線を経由して情報を授受する環境センサ付き携帯電話機と環境情報監視センタとから成る環境情報監視システムであって、環境センサ付き携帯電話機は、少なくとも全体制御部、入力部、出力部、記憶部、通信制御部、電源部、並びに環境データ測定部、環境データ・解析結果情報送受信制御部、環境データ集計・編集・解析・蓄積部を備え、環境データを測定して、この測定データを環境情報監視センタへ送信し、環境情報監視センタからの情報を受信し、この情報を蓄積する機能を有し、環境情報監視センタは、少なくとも管理サーバ、データベース（ＤＢ）、パソコン（ＰＣ）を備え、環境センサ付き携帯電話機から測定した環境データを受信して、この測定データを集計し、編集し、解析し、蓄積し、並びに解析した結果情報（解析結果情報）を環境センサ付き携帯電話機に送信する機能を有する。
また、環境センサ付き携帯電話機は、入力部に環境データ測定時期及び／又は測定データ送信先及び／又は異常値及び／又は環境情報監視センタへの測定データの送信時期及び／又は環境情報監視センタからの解析結果情報を受信する時期、の各設定部を備える。
【０００５】
また、環境データの測定契機（時期）を、携帯電話機の使用時（通話時）及び／又は所定の時刻及び／又は所定の時間間隔に設定する機能を有する。
また、環境データの測定時点又は任意の時点に、環境センサ付き携帯電話機から測定データを環境情報監視センタへ送信する機能を有する。
また、予め設定した時刻又は予め設定した時間間隔又は環境センサ付き携帯電話機から要求があった場合に、解析結果情報を、環境情報監視センタから環境センサ付き携帯電話機へ送信する機能を有する。
また、環境センサ付き携帯電話機は、出力部に表示部と警告・警報部を備える。
また、測定した環境データ及び／又は環境情報監視センタから受信した解析結果情報に、予め設定した異常値以上の値を含む場合に、環境センサ付き携帯電話機が、異常の警報及び／又は警告を発する機能及び／又は表示する機能を有する。
【０００６】
さらに、環境センサ付き携帯電話機は、環境情監視センタから解析結果情報を受信し、表示及び／又は蓄積する機能を有する。
さらに、環境センサ付き携帯電話機から環境情報監視センタに対して解析結果情報を要求する場合に、環境データの測定場所を指定する機能及び該要求に応じて環境情報監視センタから受信した解析結情報にその場所を表示する機能を有する。
さらに、環境情報監視センタから、環境センサ付き携帯電話機が通信を行っている基地局周辺の解析結果情報を送信する機能を有する。
さらに、環境情報監視センタは、環境センサ付き携帯電話機から受信した測定データ及び／又は受信した測定データを集計し、編集し、解析した結果情報（解析結果情報）を表示し、測定データ及び／又は解析結果情報に異常があれば表示及び／又は警報及び／又は警告する機能を有する。
【０００７】
さらに、環境情報監視センタは、解析結果情報として、必要な情報又は異常値の情報の全部又は一部を選択して、環境センサ付き携帯電話機へ送信する機能を有する。
さらに、環境センサ付き携帯電話機は、測定した環境データを、該携帯電話機の送受信時に自動的に基地局へ送信する機能を有する。
【０００８】
さらにまた、基地局を含む通信回線を経由して情報を授受する携帯電話機と環境情報監視センタとから成る環境情報監視システムであって、携帯電話機に環境情報測定機能を具備し、該携帯電話機を指定した場所に設置し、予め時刻を指定して環境データを測定し、測定した環境データを、予め指定した環境情報監視センタに送信し、環境情報監視センタは測定データを受信して、これを集計し、編集し、解析し、蓄積する機能を有する。
さらにまた、環境情報監視センタは解析結果情報を携帯電話機に送信し、携帯電話機は解析結果情報を受信して表示及び／又は蓄積する機能を有する。
さらにまた、携帯電話機は受信した解析結果情報に設定した異常値以上の値を含む場合には、異常を表示及び／又は警告・警報する機能を有する。
【０００９】
【発明の実施の形態】
発明の実施の形態を、実施例にもとづき図面を参照して説明する。
図１は本発明の環境情報監視システムの概念図である。
図１において、１は環境データを測定する機能を有する各種の環境センサ２を備えた携帯電話機で、環境データを測定する場所に置かれる。５は環境情報監視センタで、ルータ６、管理サーバ７、データベース（ＤＢ）８、パソコン（ＰＣ）９等を備えており、携帯電話機が接続されている基地局３を含む通信ネットワーク４を介して携帯電話機１との間で情報の授受を行う。
【００１０】
管理サーバ７は本発明の環境情報監視システム全体を制御する。ＤＢ８には、携帯電話機から受信した測定データ及び測定データを集計し、編集し、解析したデータ等が格納される。ＰＣ９により、受信した測定データ及び測定データを集計し、編集し、解析したデータ、異常値等を表示することができ、また異常値を表示し、警報・警告を発することができる。
なおこれらの表示及び警報・警告を、別の手段（例えば、監視パネル、警報・警告手段）を設けて、行うことができる。
【００１１】
所望の場所に置かれた携帯電話機１は必要な環境データを測定し、測定した環境データを通信ネットワーク４を介して環境情報監視センタ５に送信する。
環境情報監視センタ５は受信した測定データを集計し、編集し、解析して、測定データと共に測定データを集計し、編集し、解析した解析結果情報を表示し、蓄積し、また異常値があればこれを表示し、警報・警告し、さらに解析結果情報を通信ネットワーク４を介して携帯電話機に送信する。
携帯電話機１はこの受信した解析結果情報を表示し、蓄積し、異常値があれば表示し、警報・警告を発する。
環境データの測定時期、環境データの環境情報監視センタへの送信時期、環境情報監視センタから携帯電話機への解析結果情報の送信時期は、適宜に設定され、又は任意に行われる。
【００１２】
図２は環境センサ付き携帯電話機１の構成のブロック図である。
１１は携帯電話機の全体を制御する全体制御部、１２は環境データ測定時期、測定データの送信先、測定データの環境情報監視センタへの送信時期、環境データ及び解析結果情報の異常値、環境情報監視センタからの解析結果情報の受信時期等を設定する各種の設定部１２１を備える入力部、１３は各種の情報を表示する表示部１３１と警報・警告部１３２を備える出力部、１４は各種の情報を記憶する記憶部、１５は外部との通信を行う通信制御部、１６は電源部、１７は各種の環境データを測定する環境データ測定部、１８は測定データ・解析結果情報送受信制御部、１９は測定した環境データの集計、編集、解析、蓄積部である。
なお測定するデータとして、オゾン（紫外線量）、光化学スモッグ、温度、湿度、気圧、ＣＯ２、ＣＯ、ＮＯＸ、その他の大気汚染化学物質、花粉量等がある。
【００１３】
図３は携帯電話機を初期設定する場合のフロー図の一例である。
ステップＳ３０でスタートし、ステップＳ３１で環境データを測定する時期を設定する。測定時期として、携帯電話機の通話中又は所定時刻又は所定時間間隔を設定することができる。ステップＳ３２で測定データの送信先の電話番号又はメールアドレスを設定し、ステップＳ３３で測定データの異常値を設定し、ステップＳ３４で初期設定を終了する。
なお測定データを環境情報監視センタへ送信する時期及び／又は解析結果情報の受信時期を設定することもできる。また環境データの測定時期及び測定データの送信時期を同じ時期又は異なる時期に設定することができる。
【００１４】
図４は携帯電話機により環境データを測定する場合の処理のフロー図の一例である。
ステップＳ４０でスタートし、ステップＳ４１で携帯電話機を使用中（通話中）かチェックし、使用中（通話中）であればステップＳ４３へ進み、使用中（通話中）でなければステップＳ４２で予め設定した時刻かチェックし、その時刻であればステップＳ４３へ進んで環境データを測定し、その時刻でなければステップＳ４１へ戻る。ステップＳ４４で測定データが予め設定した異常値以上であるかチェックし、異常値以上でなければステップＳ４６へ進み、異常値以上であればステップＳ４５で異常値であることの警報・警告を発する。ステップＳ４６で環境情報監視センタへ測定データを送信し、ステップＳ４７で終了かチェックし、終了でなければステップＳ４１へ戻り、終了であればステップＳ４８で終了する。
なお、環境データの検出時期及び／又は送信先への測定データの送信時期として、設定された時期のみでなく、任意な時点を選ぶこともできる。
【００１５】
図５は環境情報監視センタにおける処理のフロー図の一例である。
ステップＳ５０でスタートし、ステップＳ５１で測定データを受信したかチェックし、受信した場合であればステップＳ５２で測定データの集計、編集、解析、蓄積をし、受信していなければステップＳ５１へ戻る。ステップＳ５３で測定データの集計、編集、解析による結果（解析結果情報）に、予め設定した異常値以上の値があるかチェックし、あればステップＳ５４で異常値の警報・警告を発し、なければステップＳ５５へ進む。
ステップＳ５５で解析結果情報を携帯電話機が接続されている電話機中継局へ送信する。ステップＳ５６で携帯電話機から送信要求があるかチェックし、あればステップＳ５７で解析結果情報を当該携帯電話機に送信し、送信要求がなければステップＳ５１へ戻る。ステップＳ５８で終了かチェックし、終了でなければステップＳ５１へ戻り、終了であればステップＳ５９で終了する。
【００１６】
図６は携帯電話機から解析結果情報を要求する場合の携帯電話機の処理のフロー図の一例である。
ステップＳ６０でスタートし、ステップＳ６１で解析結果情報の要求かチェックし、要求でなければステップＳ６１へ戻り、要求であればステップＳ６２で解析結果情報の欲しい場所を指定し、ステップＳ６３で環境情報監視センタへ解析結果情報の送信を要求し、ステップＳ６４で解析結果情報を受信して表示し、蓄積し、解析結果情報に異常値以上の値があるかチェックし、なければステップＳ６７へ進み、あればステップＳ６６で異常値（データ）を表示し、警報・警告を発する。ステップＳ６７で終了かチェックし、終了でなければステップＳ６１へ戻り、終了であればステップＳ６８で終了する。
【００１７】
【発明の効果】
以上のように本発明の環境センサ付き携帯電話機を用いた環境情報監視システムにより、必要な場所で所望の環境データを検出することができ、検出した環境データは環境情報センタにおいて集計し、解析し、編集し、蓄積し、また受信した測定データと共に解析結果情報を表示することができ、また解析結果情報を携帯電話機へ送信して携帯電話機に表示、蓄積することができ、さらに検出した環境データ及び／又は解析結果情報に設定した異常値以上の値があれば、これを表示及び／又は警報・警告することができるので、環境情報監視システムとして有用である。
【図面の簡単な説明】
【図１】本発明の環境情報監視システムの概念図。
【図２】環境センサ付き携帯電話機の構成のブロック図。
【図３】携帯電話機を初期設定する場合のフロー図の一例。
【図４】携帯電話機により環境データを測定する場合の処理のフロー図の一例。
【図５】環境情報監視センタにおける処理のフロー図の一例。
【図６】解析結果情報を要求する場合の携帯電話機の処理のフロー図の一例。
【符号の説明】
１　環境センサ付き携帯電話機
２　環境センサ
３　基地局
４　通信回線（ネットワーク）
５　環境情報監視センタ
６　ルータ
７　管理サーバ
８　データベース（ＤＢ）
９　パソコン（ＰＣ）
１７　環境データ測定部
【図１】
2004032580.tif 000003
【図２】
2004032580.tif 000004
【図３】
2004032580.tif 000005
【図４】
2004032580.tif 000006
【図５】
2004032580.tif 000007
【図６】
2004032580.tif 000008